(57)【要約】【課題】  簡易且つコスト安に、薪ストーブ等の暖房器具を設置しようとする部位の状態に合う所定形状に構成でき、その上、板材に装飾部を有することで所定模様を付与でき、しかも、この模様は板材の組み合わせによって任意に変化させることが可能な極めて実用性に秀れた暖房器具用遮熱部材を提供すること。【解決手段】  暖房器具１の下方若しくは周囲にして建物に直接固着せずに設置し、この暖房器具１から発せられる熱を遮断するための遮熱部材であって、複数の板材２と、この板材２同志を連結する連結部材３とから成り、前記板材２の表面には所定の色，模様が施された装飾部４を有し、前記板材２と板材２とを前記連結部材３によって連結して所定形状に構成した暖房器具用遮熱部材。【選択図】      図１
2005207669.tif 000002
【特許請求の範囲】
【請求項１】
暖房器具の下方若しくは周囲にして建物に直接固着せずに設置し、この暖房器具から発せられる熱を遮断するための遮熱部材であって、複数の板材と、この板材同志を連結する連結部材とから成り、前記板材の表面には所定の色，模様が施された装飾部を有し、前記板材と板材とを前記連結部材によって連結して所定形状に構成したことを特徴とする暖房器具用遮熱部材。
【請求項２】
前記板材に前記連結部材と係合し得る係合縁を設け、この係合縁にスライド自在に係合する係合溝を前記連結部材に設けて、前記係合縁を前記係合溝にスライド係合させることで前記板材を複数、前記連結部材を介して連結した構成としたことを特徴とする請求項１記載の暖房器具用遮熱部材。
【請求項３】
前記板材を、この板材の表面部を形成する表面板材，前記板材の裏面部を形成する裏面板材並びに前記表面板材及び前記裏面板材を所定長さ離れた状態で連結する連結板材により形成し、前記表面板材及び前記裏面板材を前記連結板材により所定長さ離れた状態で連結することで、前記板材の外周部に前記係合縁を設けたことを特徴とする請求項１，２のいずれか１項に記載の暖房器具用遮熱部材。
【請求項４】
帯板状に形成した前記連結部材に断面コ字状の前記係合溝を設け、この係合溝に、前記板材の前記係合縁及びこの板材に隣接する板材の係合縁を重合状態で配設することで、前記連結部材によって板材同志を連結した構成としたことを特徴とする請求項１〜３のいずれか１項に記載の暖房器具用遮熱部材。
【発明の詳細な説明】
【技術分野】
【０００１】
本発明は、薪ストーブ等の暖房器具から発生する熱によって家屋の床面や壁面等が加熱され劣化してしまうことを防止する暖房器具用遮熱部材に関するものである。
【背景技術】
【０００２】
例えば薪ストーブを建物内に設置する際には、使用時にこの薪ストーブが非常に高温になることから、薪ストーブを設置する床面やその近傍の壁面が熱によって劣化することを防止するために、前記床面及び壁面に遮熱部材を配設する。
【０００３】
具体的には、薪ストーブを設置する床面及びその近傍の壁面に、レンガを複数並べたり積み上げたりすることで遮熱部材を形成し、このレンガ上に薪ストーブを設置することで、使用時に発生する熱による床面や壁面の劣化を抑制している。
【発明の開示】
【発明が解決しようとする課題】
【０００４】
しかしながら、前述の遮熱部材は、床面や壁面にレンガを直接付設して建物と一体の状態で設けられる大掛かりなものであり、このレンガを一つ一つ建物に付設していく施工は決して容易ではなく手間がかかり、コスト高となる問題点がある。
【０００５】
一方、簡易に配設できる遮熱部材としてパネルタイプの遮熱部材が市販されている。
【０００６】
このパネルタイプの遮熱部材は、所定模様が施されたパネル体を床面等に敷設するだけで設置できるものであり、前述のレンガを並べたり積み上げたりする場合に比して非常に簡易に配設することができる。
【０００７】
しかしながら、このパネルタイプの遮熱部材は、部屋の所定部位に敷設するだけで設置できる反面、予めその大きさや形状，模様が決められており、よって、薪ストーブを設置しようとする部位の状況に合う形状，大きさ，模様を変えることができない。
【０００８】
従って、従来の遮熱部材は実用性に欠けるといえる。
【０００９】
本発明は、簡易且つコスト安に、薪ストーブ等の暖房器具を設置しようとする部位の状態に合う所定形状に構成でき、その上、板材に装飾部を有することで所定模様を付与でき、しかも、この模様は板材の組み合わせによって任意に変化させることが可能な極めて実用性に秀れた暖房器具用遮熱部材を提供することを目的としている。
【課題を解決するための手段】
【００１０】
添付図面を参照して本発明の要旨を説明する。
【００１１】
暖房器具１の下方若しくは周囲にして建物に直接固着せずに設置し、この暖房器具１から発せられる熱を遮断するための遮熱部材であって、複数の板材２と、この板材２同志を連結する連結部材３とから成り、前記板材２の表面には所定の色，模様が施された装飾部４を有し、前記板材２と板材２とを前記連結部材３によって連結して所定形状に構成したことを特徴とする暖房器具用遮熱部材に係るものである。
【００１２】
また、前記板材２に前記連結部材３と係合し得る係合縁６を設け、この係合縁６にスライド自在に係合する係合溝７を前記連結部材３に設けて、前記係合縁６を前記係合溝７にスライド係合させることで前記板材２を複数、前記連結部材３を介して連結した構成としたことを特徴とする請求項１記載の暖房器具用遮熱部材に係るものである。
【００１３】
また、前記板材２を、この板材２の表面部を形成する表面板材２Ａ，前記板材２の裏面部を形成する裏面板材２Ｂ並びに前記表面板材２Ａ及び前記裏面板材２Ｂを所定長さ離れた状態で連結する連結板材２Ｃにより形成し、前記表面板材２Ａ及び前記裏面板材２Ｂを前記連結板材２Ｃにより所定長さ離れた状態で連結することで、前記板材２の外周部に前記係合縁６を設けたことを特徴とする請求項１，２のいずれか１項に記載の暖房器具用遮熱部材に係るものである。
【００１４】
また、帯板状に形成した前記連結部材３に断面コ字状の前記係合溝７を設け、この係合溝７に、前記板材２の前記係合縁６及びこの板材２に隣接する板材２の係合縁６を重合状態で配設することで、前記連結部材３によって板材２同志を連結した構成としたことを特徴とする請求項１〜３のいずれか１項に記載の暖房器具用遮熱部材に係るものである。
【発明の効果】
【００１５】
本発明は上述のように構成したから、簡易且つコスト安に、薪ストーブ等の暖房器具を設置しようとする部位の状態に合う所定形状に構成でき、その上、板材に装飾部を有することで所定模様を付与でき、しかも、この模様は板材の組み合わせによって任意に変化させることが可能な極めて実用性に秀れた暖房器具用遮熱部材となる。
【００１６】
また、請求項２記載の発明においては、隣接する板材の係合縁に対して連結部材の係合溝を単にスライド係合させるだけで板材同志を連結することができ、これにより、簡易に板材同志を連結可能で容易に所定形状に構成することができる極めて実用性に秀れた暖房器具用遮熱部材となる。
【００１７】
また、請求項３記載の発明においては、簡易な構成により係合縁を形成でき、また、例えば、前記表面板材及び前記裏面板材を所定長さ離れた状態とすることで、この表面板材及び前記裏面板材間に空隙部を形成すれば、この空隙部を熱の伝導を抑制する断熱部とすることもできる極めて実用性に秀れた暖房器具用遮熱部材となる。
【００１８】
また、請求項４記載の発明においては、一層簡易な構成により板材２同志を連結部材３によって連結することができる極めて実用性に秀れた暖房器具用遮熱部材となる。
【発明を実施するための最良の形態】
【００１９】
好適と考える本発明の実施形態（発明をどのように実施するか）を、図面に基づいて本発明の作用を示して簡単に説明する。
【００２０】
本発明は、板材２と板材２とを連結部材３によって連結していくだけで、複数の板材２を連設することができる。
【００２１】
即ち、本発明は、連結部材３によって連結する板材２の数を増減し、且つ、連結部材３によって連結する板材２の連結状態を所定の状態に設定することで所定形状に構成できることとなる。
【００２２】
また、板材２の表面に施された所定の色，模様で成る装飾部４によって、前記所定色，所定模様を付与できることとなる。
【００２３】
この際、例えば、装飾部４の色，模様を変えることで、異なる色，模様を有した遮熱部材を容易に実現できることとなる。
【００２４】
従って、本発明は、暖房器具１を設置する部位の状況に合わせて、簡易且つコスト安に所定形状，所定色，所定模様に構成することができ、その上、装飾部４の色，模様を変えることで好みの色，模様を容易に作出することができる極めて実用性に秀れた暖房器具用遮熱部材となる。
【００２５】
また、例えば、前記板材２に前記連結部材３と係合し得る係合縁６を設け、この係合縁６にスライド自在に係合する係合溝７を前記連結部材３に設けて、前記係合縁６を前記係合溝７にスライド係合させることで前記板材２を複数、前記連結部材３を介して連結した構成とすれば、隣接する板材２の係合縁６に対して連結部材３の係合溝７を単にスライド係合させるだけで板材２同志を連結することができ、これにより、簡易に板材２同志を連結可能で容易に所定形状に構成できることとなるなど、一層実用的となる。
【００２６】
また、例えば、前記板材２を、この板材２の表面部を形成する表面板材２Ａ，前記板材２の裏面部を形成する裏面板材２Ｂ並びに前記表面板材２Ａ及び前記裏面板材２Ｂを所定長さ離れた状態で連結する連結板材２Ｃとにより形成し、前記表面板材２Ａ及び前記裏面板材２Ｂを前記連結板材２Ｃにより所定長さ離れた状態で連結することで、前記板材２の外周縁部に前記係合縁６を設ければ、簡易な構成により係合縁６を形成でき、また、例えば、前記表面板材２Ａ及び前記裏面板材２Ｂを所定長さ離れた状態とすることで、この表面板材２Ａ及び前記裏面板材２Ｂ間に空隙部を形成すれば、この空隙部を熱の伝導を抑制する断熱部とすることもできることとなるなど、一層実用的となる。
【００２７】
また、例えば、帯板状に形成した前記連結部材３に断面コ字状の前記係合溝７を設け、この係合溝７に、前記板材２の前記係合縁６及びこの板材２に隣接する板材２の係合縁６を重合状態で配設することで、前記連結部材３によって板材２同志を連結した構成とすれば、一層簡易な構成により板材２同志を連結部材３によって連結できることとなるなど、一層実用的となる。
【実施例１】
【００２８】
本発明の具体的な実施例１について図面に基づいて説明する。
【００２９】
実施例１は、図１〜図３に示すように、暖房器具１の下方若しくは周囲に、建物に直接固着することなく設置可能な、薪ストーブ等の暖房器具１から発せられる熱を遮断するための遮熱部材に関するもので、複数の板材２と、この板材２同志を連結する連結部材３とから成り、前記板材２の表面には所定の色，模様が施された装飾部４を有し、前記板材２と板材２とを前記連結部材３によって連結して所定形状に構成したものである。
【００３０】
即ち、前記板材２に前記連結部材３と係合し得る係合縁６を設け、この係合縁６にスライド自在に係合する係合溝７を前記連結部材３に設けて、前記係合縁６を前記係合溝７にスライド係合させることで前記板材２を複数、前記連結部材３を介して所定形状に連結した構成としている。
【００３１】
具体的には、図５，図６に示すように、板材２を、所定厚さをしたブロック状に形成し、図５におけるブロック状の板材２の上下左右面部に前記係合縁６を形成している。
【００３２】
更に具体的には、板材２を、この板材２の表面部となる表面板材２Ａと、前記板材２の裏面部となる裏面板材２Ｂと、前記表面板材２Ａと前記裏面板材２Ｂとを所定長さ離反した状態で連結する連結板材２Ｃとから成る構成とし、表面板材２Ａ及び裏面板材２Ｂの外縁部には、互いに近接する方向に突片部を有し、この突片部を前記係合縁６としている。
【００３３】
言い換えれば、平面視略方形状にして箱形の表面板材２Ａ及び裏面板材２Ｂを連結板材２Ｃを介して所定長さ離反した状態で連結し、この表面板材２Ａ及び裏面板材２Ｂの表面及び裏面に対して立ち上がる周壁部を前記係合縁６としている。
【００３４】
また、この係合縁６角部には切欠部12を設け、この切欠部12から、連結部材３を挿入係合し得るように構成している。
【００３５】
また、実施例１では、連結板材２Ｃを所定長さを有する断面視略コ字状に形成し、この連結板材２Ｃの遊離端部及びこの遊離端部の反対部位を、表面板材２Ａ若しくは裏面板材２Ｂに付設することで、前記表面板材２Ａ及び前記裏面板材２Ｂを連結板材２Ｃを介して連結した構成としている。尚、連結板材２Ｃは、図５に示すように、並行状態で付設されている。
【００３６】
即ち、表面板材２Ａ及び裏面板材２Ｂを、連結板材２Ｃを介して所定長さ離反して連結することでこの表面板材２Ａ及び裏面板材２Ｂ間に作出される空隙部10が、板材２の表面から裏面への熱の伝導を抑制する断熱部となっている。
【００３７】
尚、図６中の符号11は、連結板材２Ｃを、表面板材２Ａ及び裏面板材２Ｂ間にスポット溶接によって溶接する際、溶接機を内部に挿入するための火口挿入穴である。
【００３８】
連結部材３は、図７に示すように、帯板状に形成し、この連結部材３に前記板材２の係合縁６に係合する係合溝７を形成している。
【００３９】
具体的には、連結部材３の長さ方向における左右側部に、外方に向けて開口する断面視コ字状部を設けて前記係合溝７を構成している。
【００４０】
即ち、この係合溝７に、互いに隣設する板材２の係合縁６をスライド挿入して重合状態とすることで、板材２同志を連結し得る構成としている（図８，図９参照）。
【００４１】
この連結部材３の長さは、板材２の一辺の長さ、若しくは、板材２の一辺の長さを数倍した長さに設定されている。
【００４２】
これにより、連結する板材２の連結数に応じて、所定長さの連結部材３を選択使用することで、複数の板材２を一つの連結部材３によって連結することが可能となる。
【００４３】
また、連結部材３によって連結された複数の板材２の外周縁部には枠体13が配設されている。
【００４４】
前記板材２の表面には、所定の色，模様が施された装飾部４を有している。
【００４５】
実施例１においては、板材２の表面に、所定色，所定模様の塗装処理を施すことで前記装飾部４を形成している。
【００４６】
この際、装飾部４として、重厚感を感じる色や模様が施された装飾部４を採用することで、例えば重厚感のある薪ストーブ等の暖房器具１に合う色，模様を有する遮熱部材を実現することができる。
【００４７】
また、例えば、装飾部４に施す装飾を二種類以上用意し、この複数の装飾を有した板材２を、任意に組み合わせることによって所望の装飾を作出することができる。
【００４８】
これにより、薪ストーブ等の暖房器具１若しくはこの暖房器具１を設置する部位の状態に合う装飾が施された遮熱部材を実現することができる。
【００４９】
尚、実施例１では、板材２に塗装により装飾部４を施した構成としたが、板材２の表面に所定色，所定模様を施すことができるものであれば適宜採用しても良く、例えば、印刷でも良いし、表面板材２Ａの表面に所定色，所定模様を有するシール部材を貼り付けることで装飾部４を形成しても良い。
【００５０】
実施例１は、図２，図４に示すように、板材２を連結部材３によって所定枚数（図２，図４においては９枚）連結した状態で、外周縁部に枠体13を付設している。即ち、実施例１では、９枚の板材２を連結して方形状の遮熱部材Ａを構成している。尚、実施例１では、板材２を方形状とし、この板材２を９枚連設することで方形状の遮熱部材Ａを形成した構成としたが、板材２の連結位置を変えることで方形状以外の形状、例えば、三角形状や凹凸部位を有した形状などに構成しても良い。また、複数の板材を連結することで本実施例の作用効果を発揮し得る遮熱部材を実現できるものであれば、板材自体を方形状以外の形状に形成しても良い。
【００５１】
そして、図１に示すように、外周縁部に枠体13を配設した実施例１に係る遮熱部材Ａを、薪ストーブ等の暖房器具１の下方，側方及び後方に配設している。
【００５２】
尚、薪ストーブ等の暖房器具の側方及び後方に配設される実施例１に係る遮熱部材Ａ同志は、図３に示す専用連結金具14によって連結されている。図３においては、専用連結金具14として断面視略Ｌ形状のものを採用している。図中符号15は、実施例１に係る遮熱部材Ａの角部に配設され、前記枠体13同志を連結するコーナー金具である。また、図１４は、遮熱部の配設状態の別例を示したものである。
【００５３】
即ち、実施例１は、連結部材３によって板材２を複数連結し、その外周縁部に枠体13を付設することにより形成される、ユニット式（単位組立方式）の遮熱部材である。尚、図１０，図１１は、板材２と連結部材３との連結手順を示したものである。
【００５４】
従って、実施例１は、連結部材３の係合溝７に、板材２の係合縁６をスライド挿入配設するだけで前記板材２を容易に複数連結することができ、この板材２の連結数を増減することにより、薪ストーブ等の暖房器具１を設置する部位の状況に合った所定形状，所定大きさの遮熱部材Ａとすることができる。
【００５５】
また、板材２には所定色，所定模様が施された装飾部４を有し、この装飾部４を所定の色，所定模様とすることで、薪ストーブ等の暖房器具１若しくはこの暖房器具１を設置する部位の状況に合う所定色，所定模様の遮熱部材Ａとすることができる。
【００５６】
また、板材２の装飾部４を複数種類用意し、好みの装飾を有する板材２を、好みに応じて組み合わせ連結することで、所望の模様の遮熱部材Ａとすることができる。
【００５７】
また、前述のように、実施例１はユニット式（単位組立方式）であるため組み立てが容易であり、しかも、例えば店頭等で形状や装飾部の模様が異なる板材を複数種類用意することで、この板材の中から所望の板材を選択し、更にその板材の連結の組み合わせを自由に設定することで、独自性の高い遮熱部材を実現することができる。
【００５８】
また、実施例１は、板材２，連結部材３，枠体13等を構成部品の状態で運搬できるために持ち運びが容易であり、また、小スペースで運搬可能なため、流通費を安く抑えることができる。
【実施例２】
【００５９】
本発明の具体的な実施例２について図面に基づいて説明する。
【００６０】
実施例２は実施例１における表面板材２Ａに開口部を設け、この開口部内に、板材２の装飾部４を構成する模様体16を配設した構成としたものである。
【００６１】
即ち、実施例２の板材２は、表面部に方形状の開口部を有した表面板材２Ａと、実施例１と同様の裏面板材２Ｂと、この表面板材２Ａ及び裏面板材２Ｂを所定長さ離れた状態で連結する連結板材２Ｃと、前記表面板材２Ａの開口部内に配設される模様体16から構成されている。
【００６２】
具体的には、図１２に示すように、表面板材２Ａ及び裏面板材２Ｂの内面外縁部に連結板材２Ｃを付設して、前記表面板材２Ａ及び裏面板材２Ｂを所定長さ離れた状態で連結した構成としている。
【００６３】
実施例２においては、連結板材２Ｃを実施例１と同様、所定長さを有する断面コ字状に形成し、開口部が外方へ向く状態で付設している。
【００６４】
そして、裏面板材２Ｂの模様体16配設側面，連結板材２Ｃの開口部と反対側外面により形成された収納凹部に模様体16を収納した構成としている。
【００６５】
模様体16としては、御影石を採用している。これにより、御影石の重厚感と高級感を有する遮熱部材Ａを実現することができる。
【００６６】
実施例２においては、模様体16として御影石を採用したが、実施例２としての作用効果を発揮できるものであれば御影石以外の石材を適宜採用しても良く、また、石材以外の色，模様を有した部材を用いても良い。
【００６７】
尚、その余の構成は実施例１と同様である。
【００６８】
従って、実施例２は、図１３に示すように、あたかも全体が御影石で形成されたかのような、重厚感，高級感を作出し得る遮熱部材Ａを、非常に簡易且つコスト安に、薪ストーブ等の暖房器具１を設置する部位の状況に合わせた所望する形状に構成することができる極めて実用性に秀れた暖房器具用遮熱部材となる。
【００６９】
尚、本発明は、実施例１，２に限られるものではなく、各構成要件の具体的構成は適宜設計し得るものである。
【図面の簡単な説明】
【００７０】
【図１】実施例１の使用状態を示す説明斜視図である。
【図２】実施例１の遮熱部材を示す説明斜視図である。
【図３】実施例１の遮熱部材を専用金具を介して連結した状態を示す説明斜視図である。
【図４】実施例１の説明分解斜視図である。
【図５】実施例１の板材を示す説明斜視図である。
【図６】実施例１の板材を示す説明斜視図である。
【図７】実施例１の連結部材を示す説明斜視図である。
【図８】実施例１の板材と連結部材との連結部位を示す要部の拡大説明斜視図である。
【図９】実施例１の板材と連結部材との連結部位を示す要部の拡大説明断面図である。
【図１０】実施例１の板材と連結部材との連結手順を示す説明図である。
【図１１】実施例１の板材と連結部材との連結手順を示す説明図である。
【図１２】実施例２の板材を示す説明斜視図である。
【図１３】実施例２の遮熱部材を示す説明斜視図である。
【図１４】実施例１の遮熱部材の配設例を示す説明斜視図である。
【符号の説明】
【００７１】
１  暖房器具
２  板材
２Ａ  表面板材
２Ｂ  裏面板材
２Ｃ  連結板材
３  連結部材
４  装飾部
６  係合縁
７  係合溝
【図１】
2005207669.tif 000003
【図２】
2005207669.tif 000004
【図３】
2005207669.tif 000005
【図４】
2005207669.tif 000006
【図５】
2005207669.tif 000007
【図６】
2005207669.tif 000008
【図７】
2005207669.tif 000009
【図８】
2005207669.tif 000010
【図９】
2005207669.tif 000011
【図１０】
2005207669.tif 000012
【図１１】
2005207669.tif 000013
【図１２】
2005207669.tif 000014
【図１３】
2005207669.tif 000015
【図１４】
2005207669.tif 000016